【事件の表示】
　特願２０１４−５２３８２８「情報提供方法及びその装置」拒絶査定不服審判事件〔平成２５年　２月　７日国際公開、ＷＯ２０１３／０１８９６３、平成２６年１１月　６日国内公表、特表２０１４−５２９３９１〕について、次のとおり審決する。
【結　論】
　本件審判の請求は、成り立たない。
【理　由】
第１　手続の経緯
　本願は、２０１２年（平成２４年）１月９日（パリ条約による優先権主張外国庁受理２０１１年７月２９日、韓国）を国際出願日とする出願であって、その手続の経緯は、以下のとおりである。
　平成２７年１１月　９日付け：拒絶理由通知書
　平成２８年　３月１６日　　：意見書、手続補正書の提出
　平成２８年　９月２１日付け：拒絶理由通知書
　平成２９年　１月１９日　　：意見書、手続補正書の提出
　平成２９年　６月２８日付け：拒絶査定
　平成２９年　７月　３日　　：拒絶査定の謄本の送達
　平成２９年１１月　６日　　：審判請求書、手続補正書の提出
第２　平成２９年１１月６日付けの手続補正についての補正却下の決定
［補正却下の決定の結論］
　平成２９年１１月６日付けの手続補正を却下する。
［理由］
１　補正の内容
　上記手続補正（以下、「本件補正」という。）は、本件補正前の平成２９年１月１９日付け手続補正書の特許請求の範囲の請求項１〜３２を補正するものであるところ、そのうちの請求項１に記載された、
「表示装置が、一つの再生可能なコンテンツに関連した複数のタグ情報のうち一つのタグ情報を現在時間に基づき決定するステップと、
　前記表示装置が、前記表示装置に関連した識別情報に、前記決定されたタグ情報を挿入するステップと、
　前記表示装置が、前記決定されたタグ情報の挿入された識別情報を外部に送信するステップと、を含むことを特徴とする情報提供方法。」
という発明を、平成２９年１１月６日付け手続補正書の特許請求の範囲の請求項１に記載された、
「表示装置が、
前記表示装置で再生中である１つの
現在再生時間に基づき、タグ情報を
　前記表示装置が、前記表示装置
に内蔵された無線送受信器の
　前記表示装置が、前記決定されたタグ情報の挿入された識別情報を外部
ユーザ装置
み、
　前記複数のタグ情報は、前記コンテンツの再生時間情報によって分類される
という発明に補正することを含むものである。
　なお、下線は、補正箇所である。
２　新規事項の有無、単一性、補正の目的について 
　本件補正は、平成２９年１月１９日付け手続補正書の特許請求の範囲の請求項１に記載された、
「一つの再生可能なコンテンツ」を「
前記表示装置で再生中である１つの
「一つのタグ情報を現在時間に基づき決定する」を「
現在再生時間に基づき、タグ情報を
「表示装置に関連した識別情報」を「表示装置
に内蔵された無線送受信器の
「外部に送信する」を「外部
ユーザ装置
「複数のタグ情報」について、「
前記複数のタグ情報は、前記コンテンツの再生時間情報によって分類される
とする補正であり、国際出願日における国際特許出願の明細書若しくは図面の翻訳文等に記載した事項の範囲内においてするものであって、補正前の請求項に記載された発明と補正後の請求項に記載された発明とは発明の単一性の要件を満たすものである。
　また、いずれの補正についても、補正前の発明の発明特定事項を限定する補正である。
　したがって、本件補正は、特許法第１７条の２第３項、第４項の規定に適合するものであり、同条第５項第２号の特許請求の範囲を減縮することを目的とするものに該当する。
３　独立特許要件について
　本件補正は、特許請求の範囲の減縮を目的とする補正を含むものであるから、上記補正後の請求項１に係る発明が、特許出願の際独立して特許を受けることができるものであるかどうかについて以下に検討する。
（１）補正後発明 
　補正後の請求項１に係る発明（以下、「補正後発明」という。）は、上記の本件補正後の特許請求の範囲の請求項１に記載された次のとおりのものと認める。 
　なお、Ａ〜Ｅについては、説明のために当審にて付したものである。（以下、「構成Ａ」〜「構成Ｅ」という。）
（補正後発明）
「Ａ　表示装置が、前記表示装置で再生中である１つのコンテンツに関連した複数のタグ情報のうち現在再生時間に基づき、タグ情報を決定するステップと、
　Ｂ　前記表示装置が、前記表示装置に内蔵された無線送受信器の識別情報に、前記決定されたタグ情報を挿入するステップと、
　Ｃ　前記表示装置が、前記決定されたタグ情報の挿入された識別情報を外部ユーザ装置に送信するステップと、を含み、
　Ｄ　前記複数のタグ情報は、前記コンテンツの再生時間情報によって分類されることを特徴とする
　Ｅ　情報提供方法。」
（２）引用文献１の記載事項及び引用発明について
（２−１）引用文献１の記載事項
　原審の拒絶査定に、引用文献１として引用された、米国特許出願公開第２００８／０２４４６７６号明細書には、「METHODS, SYSTEMS AND APPARATUSES TO ENHANCE BROADCAST ENTERTAINMENT」（発明の名称）として図面とともに以下の事項が記載されている。
　なお、括弧内は、当審で作成した仮訳であり、下線は、説明のために当審にて付したものである。
[0023]In receiving the broadcast content 
the television 136 is capable of further communicating to the remote device 140 identification information of one or more broadcast programs and/or other program information about the broadcast program being accessed.
（放送コンテンツを受信する際に、
テレビ１３６は、リモートデバイス１４０に対して、アクセス中の放送番組に関する１つ以上の放送番組の識別情報及び／又は他の番組情報を更に通信することが可能である。
[0024]Further, some embodiments provide access to participate in an interactive experience associated with the broadcast program, such as a chat room, instant messaging, Internet conferencing, Internet talk (e.g., through Skype#), video conference or other such interactive experience. The program information determined by the receiving device is broadcast locally to the receiving device. The communication between the TV (or STB) and the remote device can be wired or wireless. Typically, 
the communication of the program identification to the remote device
communicated over a local area network (LAN), personal area network (PAN) using wired or wireless communication such as Bluetooth, UWB, 802.11x, or other relevant communication protocols.
（さらに、いくつかの実施形態は、チャット・ルーム、インスタント・メッセージ、インターネット会議、インターネット・トーク（例えば、スカイプを介して）、ビデオ会議、又は他のそのようなインタラクティブな体験のような、放送番組に関連するインタラクティブな体験に参加するためのアクセスを提供する。受信装置によって決定された番組情報は、受信装置にローカルで放送される。テレビ（又はＳＴＢ）とリモートデバイスとの間の通信は、有線又は無線とすることができる。典型的には、
リモートデバイスへの番組識別の通信は、
ブルートゥース、ＵＷＢ、８０２．１１ｘ、又は他の関連する通信プロトコルのような有線又は無線通信を使用するローカルエリアネットワーク（ＬＡＮ）、パーソナルエリアネットワーク（ＰＡＮ）上で通信される。
[0032]FIG. 3 depicts a simplified block diagram of a TV 136 according to some embodiments. The TV can display television signals in one or more of a variety of different formats, including but not limited to, standard analog or digital television formats, high-definition television formats (HDTV) and/or other relevant formats. The TV includes one or more broadcast content receivers 322, a controller 324, memory 326, a user interface 332, and a remote control wireless receiver and/or transmitter 334. 
The TV can optionally further include a broadcast program identification extractor 336 that can identify program identification information from the broadcast content, and a secondary transmitter, receiver and/or transceiver 340 that communicates with a remote device. The extractor 336 can detect, retrieve and/or extract an identification of one or more broadcast programs received through the receiver 322 from the STB 134 that can be forwarded through the secondary transceiver 340 to the remote device to identify and/or retrieve additional content as introduced above and fully described below.
（図３は、いくつかの実施形態に係るテレビ１３６の簡略化したブロック図を示している。テレビは、標準的なアナログ又はディジタルテレビ方式、高精細度テレビジョン方式（ＨＤＴＶ）及び／又は他の関連する方式を含むがこれらに限定されない１以上の種々の異なる方式のテレビ信号を表示することができる。テレビは、１以上の放送コンテンツ受信機３２２、コントローラ３２４、メモリ３２６、ユーザインターフェース３３２、および遠隔制御のワイヤレス受信機及び／又は送信機３３４を含む。
オプションとしてテレビは、放送コンテンツから放送番組識別情報を識別することができる放送番組識別抽出器３３６や、リモートデバイスと通信する２次送信機、受信機及び／又は送受信機３４０を更に含むことができる。抽出器３３６は、上述で紹介し、以下で充分に説明した付加的なコンテンツを識別及び／又は検索するために２次送受信機３４０を介してリモートデバイスに転送することができるように、ＳＴＢ１３４から受信機３２２を介して受信された１つ以上の放送番組の識別を検出、検索及び／又は抽出することができる。
[0042]In operation, some embodiments identify a broadcast program of interest (e.g., a broadcast program selected by a user through the remote control 150). 
An identification of the broadcast program is extracted, generated and/or created.
the program identification is extracted from broadcast content received, such as extracted from the broadcast program content, extracted from a listing or program guide and/or other such sources.
（動作中に、いくつかの実施形態は、関心のある放送番組を識別する（例えば、リモートコントロール１５０を介してユーザにより選択された放送番組）。
放送番組の識別は、抽出、生成及び／又は作成される。
番組識別は、放送番組コンテンツから抽出され、リストまたは番組ガイド及び／又は他のそのようなソースから抽出されるように、受信された放送コンテンツから抽出される。
[0045]FIG. 5 depicts a simplified flow diagram of a process 520 according to some embodiments that in part implements the acquisition of additional content associated with a broadcast program. In step 522, broadcast content is received from the broadcast content provider (e.g., cable provider 122, satellite content provider 124, or the like) over a closed network 126, 128. In step 524, a request is received to tune or decode a selected broadcast program and/or channel. In step 526, 
the broadcast program is tuned in from the broadcast content and made available to the user 
displayed through the TV,
（図５は、部分的には放送番組に関連する追加コンテンツの取得を実行する幾つかの実施形態にしたがったプロセス５２０の簡単なフロー図を示している。ステップ５２２において、放送コンテンツは、閉じたネットワーク１２６、１２８を介した放送コンテンツ・プロバイダ（例えば、ケーブルプロバイダ１２２、衛星コンテンツプロバイダ１２４等）から受信される。ステップ５２４において、選択された放送番組及び／又はチャンネルに同調及び復号化するために要求が受信される。ステップ５２６では、
放送番組が、放送コンテンツから同調され、ユーザに利用可能にされる
テレビを介して表示され、
（２−２）引用発明
　上記記載、並びにこの分野における技術常識を考慮し、引用文献１に記載される発明を以下に検討する。
（ａ）段落００２３、００３２、００４２、００４５の記載から、引用文献１には、テレビが、テレビを介して表示されているアクセス中の放送番組に関する番組識別情報を抽出することが記載されている。
（ｂ）段落００２４に記載された「８０２．１１ｘ」は、無線ＬＡＮの仕様であり、「番組識別」は、段落００２３等の「番組識別情報」を指すことは明らかであるから、段落００２３、００２４、００３２の記載から、引用文献１には、テレビが、テレビに含まれた２次送受信機を介して、アクセス中の放送番組に関する番組識別情報を８０２．１１ｘのような無線通信を使用するＬＡＮで、リモートデバイスに通信することが記載されているといえる。
（ｃ）上記（ａ）の「・・・抽出すること」という構成と、上記（ｂ）の「・・・通信すること」という構成を、それぞれステップの構成とし、引用文献１に記載された発明を方法の発明として認定すると、引用文献１には、以下の発明（以下、「引用発明」という。）が開示されている。
　なお、ａ〜ｃについては、説明のために当審にて付したものである。
 （以下、「構成ａ」〜「構成ｃ」という。） 
（引用発明）
「ａ　テレビが、テレビを介して表示されているアクセス中の放送番組に関する番組識別情報を抽出するステップと、
　ｂ　テレビが、テレビに含まれた２次送受信機を介して、アクセス中の放送番組に関する番組識別情報を８０２．１１ｘのような無線通信を使用するＬＡＮで、リモートデバイスに通信するステップとを含む、
　ｃ　方法。」
（３）引用文献２の記載事項及び引用文献２技術について
（３−１）引用文献２の記載事項
　原審の拒絶査定に、引用文献２として引用された、国際公開第２０１０／１０５１９２号には、「WIRELESS ACCESS POINT BEACON MESSAGING」（発明の名称）として図面とともに以下の事項が記載されている。
　なお、括弧内は、引用文献２の公表特許公報である特表２０１２−５２０６２７号公報の記載を参考に、当審で作成した仮訳であり、下線は、説明のために当審にて付したものである。
[0016] Figure 1 is a schematic block diagram of 
a wireless access point 110 in communication with a number of wireless terminals
（図１は、セルラ電話１４０および１６０、ノートブックコンピュータ１５０、および携帯情報端末１７０を含む
多数の無線端末と通信状態にある無線アクセスポイント１１０
[0022] In an aspect, 
beacons transmitted from wireless access points
 a beacon signal may provide a uniform resource identifier (URI) capable of directing a wireless terminal to a server on a network.
（ある態様において、
無線アクセスポイントから送信されるビーコン
ビーコン信号は、ネットワーク上で、無線端末をサーバに向けることができるＵＲＩ（uniform resource identifier）を提供することができる。
[0023] Figure 2 is a diagram depicting an example format for a beacon signal header 200. Such a header may comprise a portion of a beacon signal  frame transmitted from access point 110 to wireless terminals 140-170, for example. As may be seen in Fig. 2, beacon header 200 for this example implementation comprises a 2-byte beacon interval field 210, an 8-byte time stamp field 220, an 8 byte supported transfer rates field 230, a 2-byte capability information field 240, and a 256-byte information element field 250. Further, 
beacon header 200
comprises a 32-byte service set identifier (SSID) field 300 and a 6-byte basic service set identifier (BSSID) field 260.
（図２は、ビーコン信号ヘッダ２００についての例示的なフォーマットを描写する図である。そのようなヘッダは、例えば、アクセスポイント１１０から無線端末１４０〜１７０に送信されるビーコン信号フレームの一部を備えうる。図２に示されているように、この例示的なインプリメンテーションのビーコンヘッダ２００は、２バイトのビーコンインターバルフィールド２１０、８バイトのタイムスタンプフィールド２２０、８バイトのサポート転送レートフィールド２３０、２バイトの能力情報フィールド２４０、および２５６バイトの情報エレメントフィールド２５０を備える。さらに、この例の
ビーコンヘッダ２００は、３２バイトのサービスセット識別子（ＳＳＩＤ）フィールド３００および６バイトの基本サービスセット識別子（ＢＳＳＩＤ）フィールド２６０を備える。
 
[0024] In an aspect, 
an SSID generally serves as a pubic name for a particular WLAN implemented to be compatible with an 802.11x standard.
（ある態様において、
ＳＳＩＤは、一般的に、８０２．１１ｘ標準と互換性を有するように実施される特定のＷＬＡＮに対する公称として機能する。
 
[0025] As previously mentioned, a wireless access point may alert wireless terminals within range of the access point of the access point's existence by way of a beacon signal. As seen in Fig. 2, 
a beacon signal comprises a single SSID field,
the access point may utilize fewer than the total possible SSIDs, and therefore fewer than the total possible virtual networks,
Because fewer than the total possible SSIDs are used for identifying networks, the remainder may be utilized for messaging.
（前述されたように、無線アクセスポイントは、アクセスポイントの領域内にある無線端末に、ビーコン信号を通してそのアクセスポイントの存在を警告しうる。図２で示されているように、
ビーコン信号は、１つのＳＳＩＤフィールドを備える。
アクセスポイントは、
総数未満の可能なＳＳＩＤ、つまりは、総数未満可能な仮想ネットワークを利用しうる。総数未満の可能なＳＳＩＤがネットワークの識別に使用されるため、残りはメッセージングに使用されうる。
 
[0027] In a situation where multiple wireless transmitters/receivers (together  forming multiple radios) exist on a single access point, the individual radios may be operated on individual SSIDs. However, even in such a situation 
it may be possible to utilize any remaining SSIDs for messaging.
（複数の無線送信機／受信機（組み合わせて複数のラジオを形成する）が単一のアクセスポイント上に存在する状況において、個々のラジオは、個々のＳＳＩＤ上で動作されうる。しかしながら、そのような状況においても、
任意の残りのＳＳＩＤをメッセージングに利用することが可能である。
 
[0028] In an aspect, 
SSIDs used for beaconing relatively large messages
（ある態様において、
比較的大きなメッセージをビーコン送信するために使用されるＳＳＩＤ
 
（３−２）引用文献２技術
　上記（３−１）より、引用文献２には、「無線アクセスポイントからＳＳＩＤを含むビーコン信号が送信され、８０２．１１ｘ標準と互換性を有するように実施される特定のＷＬＡＮに対する公称として機能するＳＳＩＤは、総数未満のＳＳＩＤがネットワークの識別に使用され、残りは無線アクセスポイントから無線端末へＵＲＩ等の比較的大きなメッセージをビーコン送信するために使用される技術」（以下、「引用文献２技術」という。）が記載されている。
（４）引用文献３の記載事項及び引用文献３技術について
（４−１）引用文献３の記載事項
　原審の拒絶査定に、引用文献３として引用された、特開２０１０−２８７９５１号公報には、「コンテンツ視聴システム、コンテンツ視聴装置、および、コンテンツ視聴プログラム」（発明の名称）として図面とともに以下の事項が記載されている。
【００５１】
　テレビ受像機１００は、家庭内に設置され、家庭内ＬＡＮに接続される。また、
テレビ受像機１００は、携帯端末２００Ａ〜２００Ｃと近距離通信する
【００５２】
　
近距離通信は、
無線ＬＡＮ（IEEE802.11a、IEEE802.11b、IEEE802.11g）を用いて行なわれる
【０１７２】
　この場合、
テレビ受像機１００のネットワーク通信部１８０が、無線ＬＡＮのアクセスポイントの機能を有する
（４−２）引用文献３技術
　上記（４−１）より、引用文献３には、「テレビ受像機のネットワーク通信部が無線ＬＡＮのアクセスポイントの機能を有し、携帯端末とIEEE802.11a、IEEE802.11b、IEEE802.11gを用いて近距離通信する技術」（以下、「引用文献３技術」という。）が記載されている。
（５）引用文献５の記載事項及び引用文献５技術について
（５−１）引用文献５の記載事項
　原審の拒絶査定に、引用文献５として引用された、米国特許出願公開第２００９／００５５７４２号明細書には、「MEDIA DATA PRESENTED WITH TIME-BASED METADATA」（発明の名称）として図面とともに以下の事項が記載されている。
　なお、括弧内は、当審で作成した仮訳であり、下線は、説明のために当審にて付したものである。
[0022]An invention is disclosed for integrating time-based metadata to a media file that allows for an enhanced user experience when viewing a media file. 
The embodiments allow a user to create and define time-based metadata and relate it to particular content of the media file. The time-based metadata is tagged with timestamps and defined as tags, correlated and linked to the content of the media file. In addition to the timestamps, the time-based metadata may be tagged with other information, such as type, category, user identification, etc.
When the media file is rendered on a media player, the corresponding tags are activated. The tags, in turn, identify and render the appropriate time-based metadata that was made to be associated with the content of the media file.
（メディアファイルを閲覧する際に、向上したユーザ体験を可能にする時間ベースのメタデータをメディアファイルに統合するために、本発明は開示されている。
実施形態は、ユーザが時間ベースのメタデータを生成し定義し、それをメディアファイルの特定のコンテンツに関連付けることを可能にする。時間ベースのメタデータは、タイムスタンプを用いてタグ付けし、タグとして定義され、メディアファイルのコンテンツに関連付けられリンクされる。タイムスタンプに加えて、時間ベースのメタデータは、タイプ、カテゴリ、ユーザ識別などのような他の情報でタグ付けされてもよい。
メディアファイルは、メディアプレーヤ上でレンダリングされる場合、対応するタグが活性化される。タグは、次に、メディアファイルのコンテンツと関連付けられるようになされた適切な時間ベースのメタデータを識別してレンダリングする。
[0031]
FIG. 2A illustrates a media file 100 with a plurality of tags 114 to static and dynamic metadata associated with the media file,
（本発明の一実施形態に従って、
図２Ａは、メディアファイルに関連付けられた静的及び動的メタデータへの複数のタグ１１４を有するメディアファイル１００を示している。
[0032]The tags 114 can refer to metadata that defines content of practically any format. Such formats may include text, audio clips, video clips, user comments, images, links to other data, links to the Internet, webpage content, and combinations thereof. 
As shown, the metadata 200 , which is linked by tags to specific times of play of the media file, enable access to the content of the metadata for display or presentation on a display.
（タグ１１４は、実質的に任意のフォーマットのコンテンツを定義するメタデータを参照することができる。このようなフォーマットは、テキスト、オーディオクリップ、ビデオクリップ、ユーザコメント、画像、他のデータへのリンク、インターネットへのリンク、ウェブページコンテンツ、およびそれらの組み合わせを含むことができる。
図示されるように、メディアファイルの再生の特定の時間にタグによってリンクされたメタデータ２００は、ディスプレイに表示または提示するためにメタデータのコンテンツへのアクセスを可能にする。
[0033]FIG. 2B  illustrates another example, where the media file 100 is shown having parts A1, A2, A3, B1, B2, B3, B4, . . . C7, C8, etc. Each of the parts of the media file 100 can be thought of as scenes, parts of scenes, actions sequences, images backgrounds, etc. The various parts of the media file 100 are time coded 110. 
When metadata is to be linked to the media file 100, the metadata should be tagged with time coded 110 information.
（図２Ｂは、メディアファイル１００が、パーツＡ１、Ａ２、Ａ３、Ｂ１、Ｂ２、Ｂ３、Ｂ４、・・・Ｃ７、Ｃ８などを有するように示されている別の例を示している。メディアファイル１００のパーツの各々は、シーン、シーンの部分、動作シーケンス、画像、背景等として考えることができる。メディアファイル１００の様々なパーツはタイムコード１１０である。
メタデータがメディアファイル１００にリンクされるべきである場合、メタデータはタイムコード１１０情報にタグ付けされるべきである。
[0034]Thus, in addition to be providing information, the metadata A can provide a way to advertise and promote sales of products shown in the scene of the media file 100. In still another example, the media file 100 can reach the rendering of C7, which will occur at time t83. Tag 114 associated with metadata B, would thus trigger, to display Wikipedia information, pictures, images, and allow for rendering of additional video (from Wikipedia or other sources). The metadata B, is shown to be associated with times t83-t88 , signaling that the metadata will only be displayed during these times. Other metadata, if so liked by tags to the media file 100, can thus play or be rendered.
（このように、情報を提供することに加えて、メタデータＡは、メディアファイル１００のシーンに示された製品の販売を広告し且つ販促する方法を提供することができる。さらに別の例では、メディアファイル１００は、時刻ｔ８３で起こるＣ７のレンダリングに達することが可能である。このように、メタデータＢに関連するタグ１１４は、ウィキペディア情報、映像、画像を表示し、追加ビデオ（ウィキペディアまたは他のソースから）のレンダリングを可能にするトリガーになる。時刻ｔ８３〜ｔ８８に関連して示されているメタデータＢは、メタデータがこれらの時間の間に表示されるだけであることをシグナリングする。メディアファイル１００へのタグによって同様に、他のメタデータは、再生またはレンダリングされることができる。）
[0054]In operation 610, a plurality of time-based metadata is defined by a user at the media player. The media file may already have metadata (either static or both static and dynamic metadata) associated with the contents and the user defines additional dynamic time-based metadata, updates existing dynamic metadata or creates new dynamic metadata corresponding to the contents of the media file. The defined/newly created time-based metadata may be shared among a select group of users or with a whole community of users. 
The defined/newly created time-based metadata are tagged with timestamps to correlate with the runtime of the media file along with other information that will identify the appropriate metadata during the rendering of the media file.
（動作６１０では、複数の時間ベースのメタデータは、メディアプレーヤにおいてユーザによって定義される。メディアファイルが既にコンテンツに関連付けられたメタデータ（静的または静的と動的のいずれかのメタデータ）を有していてもよく、ユーザは、付加的な動的な時間ベースのメタデータを定義し、既存の動的メタデータを更新するか、または、メディアファイルのコンテンツに対応する新しい動的メタデータを作成する。定義され新たに作成された時間ベースのメタデータは、選択グループのユーザ、またはユーザの全コミュニティと共有され得る。
定義され新たに作成された時間ベースのメタデータは、メディアファイルのレンダリング中に適当なメタデータを識別する他の情報と一緒にメディアファイルのランタイムに対応するタイムスタンプでタグ付けされる。
[0058]In operation 615, 
a plurality of tags defining the metadata are associated with the contents of the media file. The tags provide the links to the appropriate metadata in the metadata repository.
（段階６１５で、
メタデータを定義する複数のタグは、メディアファイルの内容に関連している。タグは、メタデータ・リポジトリ内の適切なメタデータへのリンクを提供する。
（５−２）引用文献５技術
　上記（５−１）より、引用文献５には、「メディアファイルのコンテンツに、コンテンツに関連付けられた時間ベースのメタデータをメディアファイルのランタイムに対応するタイムスタンプでタグ付けし、メディアファイルは複数のタグを有し、メディアファイルがレンダリングされる際に、対応するタグが活性化される技術」（以下、「引用文献５技術」という。）が記載されている。
（６）補正後発明と引用発明の対比と、一致点・相違点の認定
（６−１）対比
（ａ）補正後発明の構成Ａと引用発明の構成ａとの対比
　構成ａの「テレビ」は、構成Ａの「表示装置」に相当する。
　構成ａの「テレビを介して表示されているアクセス中の放送番組」は、構成Ａの「前記表示装置で再生中である１つのコンテンツ」に相当する。また、構成ａの「番組識別情報」は放送番組に関する情報であるから、コンテンツに関連した情報であるという点で、構成Ａの「タグ情報」に対応する。
　そうすると、構成ａの「テレビを介して表示されているアクセス中の放送番組に関する番組識別情報」と構成Ａの「前記表示装置で再生中である１つのコンテンツに関連した複数のタグ情報」は、「前記表示装置で再生中である１つのコンテンツに関連したタグ情報」という点で共通する。
　また、構成ａの「抽出する」ことは、構成Ａの「決定する」ことに相当する。
　したがって、構成ａと構成Ａは、「表示装置が、前記表示装置で再生中である１つのコンテンツに関連したタグ情報を決定するステップ」である点で共通する。
　しかし、構成ａの「番組識別情報」は、構成Ａの「タグ情報」のように「複数」でなく、番組識別情報を決定することに関して、構成Ａのように「複数のタグ情報のうち現在再生時間に基づき、タグ情報を決定する」ものでない点で相違する。
（ｂ）補正後発明の構成Ｂと引用発明の構成ｂとの対比
　構成ｂの「テレビに含まれた２次送受信機」は、無線通信を使用するから、構成Ｂの「前記表示装置に内蔵された無線送受信器」に相当する。
　しかし、構成ｂは、構成Ｂのように「前記表示装置が、前記表示装置に内蔵された無線送受信器の識別情報に、前記決定されたタグ情報を挿入するステップ」を有していない点で相違する。
（ｃ）補正後発明の構成Ｃと引用発明の構成ｂとの対比
　構成ｂの「番組識別情報」は、構成ａで抽出された「番組識別情報」であるから、構成Ｃの「前記決定されたタグ情報」に相当する。
　構成ｂの「リモートデバイスに通信する」ことは、構成Ｃの「外部ユーザ装置に送信する」ことに相当する。
　そうすると、構成ｂと構成Ｃは、「前記表示装置が、前記決定されたタグ情報を外部ユーザ装置に送信するステップ」である点で共通する。
　しかし、上記（ｂ）で検討したように、引用発明は、「前記表示装置が、前記表示装置に内蔵された無線送受信器の識別情報に、前記決定されたタグ情報を挿入するステップ」を有していないため、構成ｂは、「番組識別情報（決定されたタグ情報）」を「通信する（送信する）」際に、構成Ｃのように、「前記決定されたタグ情報の挿入された識別情報」を「送信する」ことに特定されていない点で相違する。
（ｄ）補正後発明の構成Ｄと引用発明との対比
　上記（ａ）で検討したように、構成ａの「番組識別情報」は、構成Ａのように「複数」でなく、引用発明は、「前記複数のタグ情報は、前記コンテンツの再生時間情報によって分類される」ものでない点で相違する。
（ｅ）補正後発明の構成Ｅと引用発明の構成ｂ、ｃとの対比
　構成ｃの「方法」は、構成ｂのような「テレビが、アクセス中の放送番組に関する番組識別情報」という情報を「リモートデバイスに通信」すなわちリモートデバイスに提供する方法であるといえるので、構成Ｅの「情報提供方法」に相当する。
（６−２）一致点・相違点
　以上をまとめると、補正後発明と引用発明は、以下の点で一致ないし相違する。
（一致点）
　表示装置が、前記表示装置で再生中である１つのコンテンツに関連したタグ情報を決定するステップと、
　前記表示装置が、前記決定されたタグ情報を外部ユーザ装置に送信するステップと、を含むことを特徴とする
　情報提供方法。
（相違点）
（相違点１）
　タグ情報に関して、補正後発明は、「複数のタグ情報のうち現在再生時間に基づき、タグ情報を決定」し、「前記複数のタグ情報は、前記コンテンツの再生時間情報によって分類される」のに対し、引用発明の番組識別情報は、「複数」でないため、「複数のタグ情報のうち現在再生時間に基づき、タグ情報を決定」するものでなく、そのことに起因して、「前記複数のタグ情報は、前記コンテンツの再生時間情報によって分類される」ものでない点。
（相違点２）
　補正後発明は、「前記表示装置が、前記表示装置に内蔵された無線送受信器の識別情報に、前記決定されたタグ情報を挿入」し、「決定されたタグ情報の挿入された識別情報を外部ユーザ装置に送信する」構成であるのに対し、引用発明は、そのような構成を有していない点。
（７）判断
（７−１）相違点１について
　引用文献５技術は「メディアファイルのコンテンツに、コンテンツに関連付けられた時間ベースのメタデータをメディアファイルのランタイムに対応するタイムスタンプでタグ付け」、すなわち、コンテンツに関連するタグは、コンテンツの各時間に対応しており、また、「メディアファイルがレンダリングされる際に、対応するタグが活性化」、すなわち、コンテンツが再生されるにつれて、現在再生されている時間に対応するタグを決定しているものである。
　引用発明の「番組識別情報」と引用文献５技術の「タグ」は、いずれもコンテンツと関連する情報である点で共通するものであり、引用文献５技術に接した当業者であれば、引用発明の「番組識別情報」を、「複数のタグ」とし、コンテンツが再生されるにつれて、現在再生されている時間に対応するタグを決定し、コンテンツに関連するタグは、コンテンツの各時間に対応しているものとすること、すなわち、補正後発明のような「複数のタグ情報のうち現在再生時間に基づき、タグ情報を決定」し、「前記複数のタグ情報は、前記コンテンツの再生時間情報によって分類される」ような構成にすることは、当業者が容易に想到し得ることである。
（７−２）相違点２について
　引用文献３技術のように、テレビが無線ＬＡＮアクセスポイントの機能を有し、８０２．１１を用いて端末と通信を行う技術は周知であり、引用文献２技術のように、無線アクセスポイントから送信される８０２．１１におけるＳＳＩＤを、ネットワークの識別だけでなく、メッセージの送信に利用する技術も周知である。
　そして、引用発明は構成ｂより「テレビに含まれた２次送受信機」を有し、当該２次送受信機が「番組識別情報を８０２．１１ｘのような無線通信を使用するＬＡＮで、リモートデバイスに通信する」ものであるから、上記引用文献３技術のような周知技術から、構成ｂの「テレビに含まれた２次送受信機」に無線ＬＡＮアクセスポイントの機能を持たせる構成とすることは当業者が適宜なし得ることである。
　また、そのような構成とした場合に、上記引用文献２技術のような周知技術を利用して、無線ＬＡＮアクセスポイントの機能を有する「テレビに含まれた２次送受信機」から送信されるＳＳＩＤに番組識別情報を挿入して、番組識別情報の挿入されたＳＳＩＤをリモートデバイスに送信するように構成して、補正後発明のような「前記表示装置が、前記表示装置に内蔵された無線送受信器の識別情報に、前記決定されたタグ情報を挿入」し、「決定されたタグ情報の挿入された識別情報を外部ユーザ装置に送信する」構成にすることは、当業者が容易に想到し得ることである。
（７−３）相違点についてのまとめ
　以上のように、各相違点については、格別のものではなく、また、補正後発明が奏する効果は、その容易想到である構成から当業者が容易に予測し得る範囲内のものであり、同範囲を超える顕著なものでもない。
（８）小括
　したがって、補正後発明は、引用発明及び引用文献２、３、５に記載された技術に基づいて、当業者が容易に発明をすることができたものであり、特許法第２９条第２項の規定により、特許出願の際独立して特許を受けることができないものである。
４　本件補正についてのむすび
　よって、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の決定の結論のとおり決定する。
第３　本願発明について
１　本願発明
　平成２９年１１月６日付けの手続補正は、上記のとおり却下されたので、本願の請求項に係る発明は、平成２９年１月１９日にされた手続補正により補正された特許請求の範囲の請求項１〜３２に記載された事項により特定されるものであるところ、その請求項１に係る発明（以下、「本願発明」という。）は、その請求項１に記載された次のとおりのものと認める。 
「表示装置が、一つの再生可能なコンテンツに関連した複数のタグ情報のうち一つのタグ情報を現在時間に基づき決定するステップと、
　前記表示装置が、前記表示装置に関連した識別情報に、前記決定されたタグ情報を挿入するステップと、
　前記表示装置が、前記決定されたタグ情報の挿入された識別情報を外部に送信するステップと、を含むことを特徴とする情報提供方法。」
２　原査定の拒絶の理由
　原査定の拒絶の理由は、次のとおりのものである。
　この出願の下記の請求項に係る発明は、その出願前日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。
・請求項：１−３、６−１１、１４−１６、１９、２０−２６、２９−３２
・引用文献等：１−３、５
・請求項：４、５、１２、１３、１７、１８、２７、２８
・引用文献等：１−５
＜引用文献等一覧＞
１.米国特許出願公開第２００８／０２４４６７６号明細書
２.国際公開第２０１０／１０５１９２号
３.特開２０１０−２８７９５１号公報
４.特表２０１１−５１６９４１号公報
５.米国特許出願公開第２００９／００５５７４２号明細書
３　引用文献について
　原査定の拒絶の理由で引用された引用文献１〜３、５の記載事項及び引用発明、引用文献２技術、引用文献３技術、引用文献５技術は、前記第２の３（２）〜（５）に記載したとおりである。
４　対比・判断
　本願発明の発明特定事項を全て含み、さらに他の事項を付加したものに相当する補正後発明が、前記第２の３に記載したとおり、引用発明及び引用文献２、３、５に記載された技術に基づいて、当業者が容易に発明をすることができたものであるから、本願発明も、引用発明及び引用文献２、３、５に記載された技術に基づいて、当業者が容易に発明をすることができたものである。
第４　むすび
　以上のとおり、本願発明は、特許法第２９条第２項の規定により特許を受けることができないから、他の請求項に係る発明について検討するまでもなく、本願は拒絶されるべきものである。
　よって、結論のとおり審決する。